(57)【特許請求の範囲】
【請求項１】
ゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなり、
前記第１側辺が順に接続する第１部分と第２部分と第３部分とを含み、該第１部分と該第３部分とが該第２部分の両側に、対称に設けられ、
該第１部分が該第２部分に接続する接続端と、該第２部分から離れる側の自由端とを含み、かつ該第１部分が該接続端から該自由端に向う方向において該第２側辺に近づき、
前記第２側辺と該第１側辺とが同一の形状を呈しており、
前記第２部分が直線状を呈する
ことを特徴とする薄膜トランジスタ。
【請求項２】
ゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなり、
前記第１側辺が順に接続する第１部分と第２部分と第３部分とを含み、該第１部分と該第３部分とが該第２部分の両側に、対称に設けられ、
該第１部分が該第２部分に接続する接続端と、該第２部分から離れる側の自由端とを含み、かつ該第１部分が該接続端から該自由端に向う方向において該第２側辺に近づき、
前記第２側辺と該第１側辺とが同一の形状を呈しており、
前記第１部分と該第３部分とがいずれも直線状を呈し、かつ該第１部分と該第２部分との間の夾角と、及び該第３部分と該第２部分との間の夾角が鈍角である
ことを特徴とする薄膜トランジスタ。
【請求項３】
請求項１または請求項２に記載の薄膜トランジスタにおいて、
前記チャネルの中間部分において、該チャネルの長さが４．５μｍであって、該チャネルの両端において、該チャネルの長が２．５μｍより長く、４．５μｍより短い
ことを特徴とする薄膜トランジスタ。
【発明の詳細な説明】
【技術分野】
【０００１】
この発明は、薄膜トランジスタに関する
【背景技術】
【０００２】
目下、大サイズＴＦＴ−ＬＣＤ薄膜トランジスタのソースとドレインは、平行し、対向するよう設計されている。図１に開示するように薄膜トランジスタは、ゲート電極（図示しない）と、ソース電極２０と、ドレイン電極４０とを含んでなる。ソース電極２０とドレイン電極４０とは、対向する側辺が互いに平行する。即ち、ソース電極２０とドレイン電極４０との間には長方形のチャネル６０が形成される。ソース電極２０とドレイン電極４０との間のチャネル６０は半透明フィルム構造であって、ソース電極２０とドレイン電極４０との領域は完全に光不透過性で、チャネル６０の箇所は光半透過性である。チャネル６０はチャネル幅Ｗとチャネル長Ｌとを含む。光線はチャネルの両側から入射する。チャネル両側の受光面積は中間より広いため、露光すると両端のフォトレジストが露光によって変形して円弧状を呈し、図２に開示するようにチャネル６０のチャネル幅が狭くなり、薄膜トランジスタの充電率に影響を与える、甚だしくはチャネル６０が開孔する。即ちチャネル幅Ｗが０になり回路状態となる。よって、薄膜トランジスタが損壊する。
【発明の概要】
【発明が解決しようとする課題】
【０００３】
この発明は、露光の工程においてチャネル幅が縮小するという情況を改善し、薄膜トランジスタの充電率を保証し、品質を高めるこのできる薄膜トランジスタを提供することを課題とする。
【課題を解決するための手段】
【０００４】
そこで、本発明者は従来の薄膜トランジスタに見られる欠点に鑑み鋭意研究を重ねた結果、
ゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなる薄膜トランジスタによって課題を解決できる点に着眼し、係る知見に基づいて本発明を完成させた。
【０００５】
以下この発明について説明する。
本発明の薄膜トランジスタは、
ゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなり、
前記第１側辺が順に接続する第１部分と第２部分と第３部分とを含み、該第１部分と該第３部分とが該第２部分の両側に、対称に設けられ、
該第１部分が該第２部分に接続する接続端と、該第２部分から離れる側の自由端とを含み、かつ該第１部分が該接続端から該自由端に向う方向において該第２側辺に近づき、
前記第２側辺と該第１側辺とが同一の形状を呈しており、
前記第２部分が直線状を呈する
ことを特徴とする。
【０００６】
また、本発明の薄膜トランジスタは、
ゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなり、
前記第１側辺が順に接続する第１部分と第２部分と第３部分とを含み、該第１部分と該第３部分とが該第２部分の両側に、対称に設けられ、
該第１部分が該第２部分に接続する接続端と、該第２部分から離れる側の自由端とを含み、かつ該第１部分が該接続端から該自由端に向う方向において該第２側辺に近づき、
前記第２側辺と該第１側辺とが同一の形状を呈しており、
前記第１部分と該第３部分とがいずれも直線状を呈し、かつ該第１部分と該第２部分との間の夾角と、及び該第３部分と該第２部分との間の夾角が鈍角である
ことを特徴とする。
【０００７】
本発明では、
前記チャネルの中間部分において、該チャネルの長さが４．５μｍであって、該チャネルの両端において、該チャネルの長が２．５μｍより長く、４．５μｍより短い
ことが好ましい。
【図面の簡単な説明】
【００１７】
【図１】従来の薄膜トランジスタにおけるソース電極とドレイン電極とを示した説明図である。
【図２】図１に開示する薄膜トランジスタを露光した後の状態を支援した説明図である。
【図３】この発明の実施の形態による薄膜トランジスタを示した説明図である。
【図４】他の実施の形態による薄膜トランジスタを示した説明図である。
【発明を実施するための形態】
【００１８】
この発明は、露光の工程においてチャネル幅が縮小するという情況を改善し、薄膜トランジスタの充電率を保証し、品質を高めることのできる薄膜トランジスタを提供するものであって、該薄膜トランジスタはゲート電極と、ソース電極と、ドレイン電極と、を含んでなり、かつ該ソース電極と該ドレイン電極とが該ゲート電極上に並設され、
該ソース電極が第１側辺を含み、該ドレイン電極が該第１側辺に対向して位置する第２側辺を含み、かつ、かつ該第１側辺と該第２側辺との間にチャネルが形成され、
該第１側辺と該第２側辺とが非直線状を呈し、該チャネルが該第１側辺と該第２側辺とに沿って延伸して形成される寸法が該チャネルのチャネル幅であって、かつ該チャネルのチャネル幅方向において、該チャネルの中間が両端に向かって漸縮し、狭くなる。係る薄膜トランジスタの特徴を説明するために、具体的な実施例を挙げ、図面を参照にして以下に詳述する。
【実施例１】
【００１９】
図３、図４に開示するように、この発明による薄膜トランジスタ１００は、ゲート電極１０と、ソース電極３０と、ドレイン電極５０と、を含んでなる。ソース電極３０とドレイン電極５０とはゲート電極１０上に並設する。実施例においてゲート電極１０は基板（図示しない）上に設ける。基板はガラス基板であるが、その他材質によってなる基板であってもよく、また可撓性の基板であるか、非可撓性の基板であってもよい。ゲート電極１０は、材質にモリブデンかアルミニウムを含むが、その他金属か、金属化合物か、もしくはこれらを組み合わせた多重層構造を有するものであってもよい。
【００２０】
ソース電極３０は第１側辺３２を含み、ドレイン電極５０は第２側辺５２を含む。第１側辺３２と第２側辺６２とは対向して位置し、かつ第１側辺３２と第２側辺５２との間にチャネル７０が形成される。第１側辺３２と第２側辺５２は非直線状を呈し、チャネル７０が第１側辺３２と第２側辺５２とに沿って延伸して形成される寸法は、チャネル７０のチャネル幅である。即ち、図３に符合Ｗで表わす寸法であって、チャネル７０のチャネル幅方向において、チャネル７０は中間が両端に向かって漸縮し、狭くなる。
【００２１】
この発明は、ソース電極３０とドレイン電極５０との対向する側辺（即ち第１側辺３２と第２側辺５２）について修正を加えるものであって、第１側辺３２と第２側辺５２は非直線状を呈する。このためチャネル７０は幅方向において、チャネル７０の中間が両端に向かって漸縮して狭くなる。露光の工程において、チャネル７０の両端は収縮して狭くなる設計は、薄膜トランジスタのチャネル７０の両端の受ける光エネルギー量が中間の位置の受ける光エネルギー量に相当する。即ち、薄膜トランジスタのチャネル７０のそれぞれの部分の光透過性が一致し、薄膜トランジスタの品質を高めることになる。
【００２２】
第１側辺３２と第２側辺５２とのいずれもが非直線状を呈する設計は、具体的な実施例において、第１側辺３２と第２側辺５２とを複数の線で構成してもよく、また、第１側辺３２と第２側辺５２とが円弧線を描くようにデザインしてもよい。もしくは、第１側辺３２と第２側辺５２とを直線状と円弧線状との組み合わせによって構成してもよい。即ち、この発明においては第１側辺３２と第２側辺５２との形状に制限を加えない。第１側辺３２と第２側辺５２とがいずれも非直線状でなく、かつチャネル７０が中間から両端に向かって漸縮して狭くなれば、薄膜トランジスタのチャネル７０のそれぞれの部分の光透過性が一致し、薄膜トランジスタの品質を高めることができる。
【００２３】
具体的に述べると、図４に開示するように第１側辺３２には、順に連続する第１部分３２２と、第２部分３２４と、第３部分３２６とを含み、第１部分３２２と第３部分３２６とが、第２部分３２４の両側に、対称に設けられる。第１部分３２２は第２部分３２４に接続する接続端と、第２部分３２４から離れる側の自由端３２４とを含み、かつ第１部分３２２は該接続端から該自由端に向う方向において第２側辺５２に近づく。即ち、該自由端の位置において、第１側辺３２と第２側辺５２との間の距離が最も短くなる。
【００２４】
実施例において、第１側辺３２は、形状が第２側辺５２と同一であって、第１側辺３２と第２側辺５２とはチャネル７０の両側に、対称に配置される。
【００２５】
実施例において、第２部分３２４は直線状を呈する。
【００２６】
他の実施の形態において、第１部分３２２と第３部分３２６が直線状を呈し、かつ第１部分３２２と第２部分３２４との間の夾角と、及び第３部分３２６と第２部分３２４との間の夾角を鈍角とする。
【００２７】
別の実施の形態において、第１部分３２２と第３部分３２６とが円弧線状を呈し、かつ第１部分３２２と第２部分３２４との間と、及び第３部分３２６と第２部分３２４との間が曲線を描いて接続する。
【００２８】
具体的に述べると、チャネル７０の中間部分において、チャネル７０の長さが４.５μｍであって、チャネル７０の両端において、チャネル７０の長さが２.５μｍより長く、４.５μｍより短い。
【００２９】
以上は、この発明の好ましい実施の形態を優先的に述べたものであって、この発明の実施の範囲を限定するものではない。よって、当業者がこの発明の原理を離れないことを前提としてなし得る若干の変更、修正などは、いずれもこの発明の特許請求の範囲に属するものとする。
【符号の説明】
【００３０】
１０        ゲート電極
１００      薄膜トランジスタ
２０        ソース電極
３０        ソース電極
３２        第１側辺
３２２      第１部分
３２４      第２部分
３２６      第３部分
４０        ドレイン電極
５０        ドレイン電極
５２        第２側辺
６０        チャネル
７０        チャネル
Ｗ          チャネル幅
Ｌ          チャネル長
【図１】
0006383486.tif 000002
【図２】
0006383486.tif 000003
【図３】
0006383486.tif 000004
【図４】
0006383486.tif 000005